(57)【要約】      （修正有）【課題】ポスターをしっかり挟んで固定することができるだけでなく、ポスターを任意に取り換えることができるポスター展示パネルを提供する。【解決手段】ポスター展示パネルはフレーム部材１０と第一押さえ部材３０を備える。フレーム部材はフレーム１１を有する。フレームはフロントプレート１３、二つの連結板１４および二つ拡張板１５を有する。二つの連結板はフロントプレートと一体になり、フロントプレートの相対する両側から後に伸びて形成される。二つの拡張板は二つの連結板と一体になり、連結板から下と上にそれぞれ伸びて形成される。フロントプレート、二つの連結板および二つの拡張板は格納空間１６を構成する。フレームの材質は透明プラスチックである。第一押さえ部材は複数の第一固定部３１と第一押さえ部３２を有する。第一固定部は拡張板に配置され、第一押さえ部はフロントプレートに向かって前後に調整できるように第一固定部に配置される。【選択図】図５
0003219478.tif 000002
【実用新案登録請求の範囲】
【請求項１】
フレーム部材、第一押さえ部材および押さえ板を備え、
前記フレーム部材は、フレームを有し、前記フレームは透明プラスチックから製作され、フロントプレート、二つの連結板および二つ拡張板を有し、二つの前記連結板は前記フロントプレートと一体になり、前記フロントプレートの相対する両側から後に伸びて形成され、一つの前記拡張板は一つの前記連結板と一体になり、前記連結板から下に伸びて形成され、一つの前記拡張板は一つの前記連結板と一体になり、前記連結板から上に伸びて形成され、
前記フロントプレート、二つの前記連結板および二つの前記拡張板は格納空間を構成し、
前記第一押さえ部材は、複数の第一固定部および複数の第一押さえ部を有し、複数の前記第一固定部は前記拡張板に配置され、複数の前記第一押さえ部は前記フロントプレートに向かって前後に調整できるように前記第一固定部に配置され、
前記押さえ板は、前記フレームの前記格納空間に着脱可能に配置され、
複数の前記第一押さえ部は前記押さえ板に向かって配置され、
複数の前記第一固定部は別々に一つの前記拡張板に対応して配置される第一ボルトを有し、
複数の前記第一押さえ部は別々に第一可動ナットおよび吸盤を有し、前記第一可動ナットは前記第一固定部の前記第一ボルトと噛み合い、前記吸盤は前記押さえ板を吸着するために前記第一可動ナットに配置されることを特徴とするポスター展示パネル。
【請求項２】
複数の前記第一固定部はさらに第一固定ナットを有し、前記第一ボルトは前記第一固定ナットによって前記拡張板に締め付けられることを特徴とする請求項１に記載のポスター展示パネル。
【請求項３】
二つの前記連結板は別々に前記フロントプレートの後から斜めに伸びて前記フロントプレートとの間に鋭角を成し、二つの前記連結板は別々に二つの側辺縁部を有し、二つの前記側辺縁部は相対的に斜めに伸びて前記フロントプレートおよび前記拡張板を連結し、二つの前記側辺縁部の間の距離は後端部に向かって漸次縮小することを特徴とする請求項２に記載のポスター展示パネル。
【請求項４】
二つの前記拡張板は複数の前記格納空間に繋がる取付孔を有することを特徴とする請求項３に記載のポスター展示パネル。
【請求項５】
前記フレーム部材はさらに粘着部材を有し、前記粘着部材は二つの第一粘着部および一つの第二粘着部を有し、
二つの前記第一粘着部は別々に前記拡張板に配置され、内側面がループ面であり、外側面がフック面であり、二つの前記第一粘着部は別々に前記拡張板の二つの前記取付孔を貫通し、前記ループ面と前記フック面が相互に取り付くことによって前記拡張板に固定され、
前記第二粘着部は二つの前記第一粘着部に同時に取り付き、外側面がループ面であり、
二つの前記第一粘着部は前記第二粘着部に着脱可能に取り付くことを特徴とする請求項４に記載のポスター展示パネル。
【請求項６】
前記押さえ板は導光部材からなり、
前記導光部材は前記フレームの前記格納空間に着脱可能に装着され、導光板、二つの取付板および二つの帯状結合部を有し、二つの前記取付板は前記導光板の背面に配置され、かつ前記導光板の相対する両側辺に隣接し、二つの前記帯状結合部はそれぞれ前記取付板と前記導光板を挟むものであり、
前記第一押さえ部は前記取付板に向かって対応することを特徴とする請求項１に記載のポスター展示パネル。
【請求項７】
さらに第二押さえ部材を備え、
前記第二押さえ部材は、複数の第二固定部および複数の第二押さえ部を有し、それぞれの前記第二固定部は前記拡張板に配置され、それぞれの前記第二押さえ部は前記取付板に向かって前後に調整できるように前記第二固定部に配置されることを特徴とする請求項６に記載のポスター展示パネル。
【請求項８】
それぞれの前記取付板は複数の前記取付板を貫通するロック溝を有し、
それぞれの前記第二固定部は一つの前記拡張板に配置される第二ボルトを有し、
それぞれの前記第二押さえ部は前記第二固定部の前記第二ボルトと噛み合い、かつ前記ロック溝に向かって対応することを特徴とする請求項７に記載のポスター展示パネル。
【考案の詳細な説明】
【技術分野】
【０００１】
本考案は展示用器具、詳しく言えばポスター展示パネルに関するものである。
【背景技術】
【０００２】
図１に示すように、周知のポスター展示パネルは前側板１、後側板２および四つの締付部材３を備える。前側板１および後側板２はアクリル板から製作される。四つの締付部材３は前側板１および後側板２の四つの隅に配置される。ポスター展示パネルを使用する際、前側板１と後側板２の間にポスター４を挟んで締付部材３を締め付ければ、ポスター４は前側板１と後側板２に挟まって固定されるはずだが、実際には前側板１と後側板２の間にポスター４をしっかり固定することはできない。従って、ポスター４を落下させないようにするためには後側板２に接着層を塗布して安定性を高めることが必要であるが、使用に不便であり、ポスター４を任意に取り換えることが難しいという問題が発生する。また前側板１および後側板２の厚さおよび重さが比較的大きいため、壁に固定しにくいという問題もある。
【考案の概要】
【考案が解決しようとする課題】
【０００３】
本考案は上述した先行技術の少なくとも一つの欠点を解決できるポスター展示パネルを提供することを主な目的とする。
【課題を解決するための手段】
【０００４】
上述した課題を解決するため、ポスター展示パネルはフレーム部材、第一押さえ部材および押さえ板を備える。
【０００５】
フレーム部材はフレームを有する。フレームはフロントプレート、二つの連結板および二つ拡張板を有する。二つの連結板はフロントプレートと一体になり、フロントプレートの相対する両側から後に伸びて形成される。一つの拡張板は一つの連結板と一体になり、連結板から下に伸びて形成される。一つの拡張板は一つの連結板と一体になり、連結板から上に伸びて形成される。フロントプレート、二つの連結板および二つの拡張板は格納空間を構成する。フレームの材質は透明プラスチックである。
【０００６】
第一押さえ部材は複数の第一固定部および複数の第一押さえ部を有する。複数の第一固定部は拡張板に配置される。複数の第一押さえ部はフロントプレートに向かって前後に調整できるように第一固定部に配置される。押さえ板はフレームの格納空間に着脱可能に配置される。第一押さえ部は押さえ板に向かって配置される。それぞれの第一固定部は一つの拡張板に対応して配置される第一ボルトを有する。それぞれの第一押さえ部は第一可動ナットおよび吸盤を有する。第一可動ナットは第一固定部の第一ボルトと噛み合う。吸盤は押さえ板を吸着するために第一可動ナットに配置される。
【０００７】
本考案の達成した効果は第一固定部に対して第一押さえ部材の第一押さえ部を前後に調整できることである。詳しく言えば第一押さえ部を前に調整すれば、第一押さえ部は押さえ板に当接してポスターをフレームのフロントプレートに密着させることができる。第一押さえ部を後に調整すれば、ポスターを解放できる。このときポスターを任意に取り換えることができる。
【図面の簡単な説明】
【０００８】
【図１】周知のポスター展示パネルを示す斜視図である。
【図２】本考案の第１実施形態によるポスター展示パネルが壁面に固定された状態を示す斜視図である。
【図３】本考案の第１実施形態によるポスター展示パネルとポスターを示す分解斜視図である。
【図４】本考案の第１実施形態によるポスター展示パネルにおいてポスターを緩く締めている状態を示す断面図である。
【図５】本考案の第１実施形態によるポスター展示パネルにおいてポスターをきつく締めている状態を示す断面図である。
【図６】本考案の第１実施形態によるポスター展示パネルの一部分を示す拡大断面図である。
【図７】本考案の第２実施形態によるポスター展示パネルとポスターを示す分解斜視図である。
【図８】本考案の第２実施形態によるポスター展示パネルにポスターが入れてある状態を示す側面図である。
【図９】本考案の第２実施形態によるポスター展示パネルにおいて第一押さえ部材の第一押さえ部がポスターを前に押した状態を示す断面図の一部分である。
【図１０】本考案の第２実施形態によるポスター展示パネルにおいて第二押さえ部材の第二押さえ部がポスターを前に押した状態を示す断面図の一部である。
【図１１】図１０中のXI−XI線に沿った断面図である。
【図１２】本考案の第３実施形態によるポスター展示パネルとポスターを示す分解斜視図である。
【図１３】本考案の第３実施形態によるポスター展示パネルにポスターが入れてある状態を示す断面図である。
【図１４】本考案の第４実施形態によるポスター展示パネルとポスターを示す分解斜視図である。
【図１５】本考案の第４実施形態によるポスター展示パネルを示す背面図である。
【図１６】図１５中XVI−XVI線に沿った断面図、即ち図１５中の第一押さえ部材の第一押さえ部が押さえ板と間隔を保つ状態を示す断面図である。
【図１７】図１５中XVI−XVI線に沿った断面図、即ち図１５中の第一押さえ部材の第一押さえ部が下に押されて押さえ板に吸着した状態を示す断面図である。
【図１８】図１５中XVI−XVI線に沿った断面図、即ち図１５中の第一押さえ部材の第一押さえ部が押さえ板を持ち上げた状態を示す断面図である。
【考案を実施するための形態】
【０００９】
以下、本考案によるポスター展示パネルを図面に基づいて説明する。図中の同じ符号は同じ部品または類似した部品を示す。
【００１０】
（第１実施形態）
図２、図３および図４に示すように、本考案の第１実施形態によるポスター展示パネルはポスター１００の展示に用いられ、フレーム部材１０、押さえ板２０および第一押さえ部材３０を備える。
【００１１】
フレーム部材１０は、フレーム１１および四つの粘着部材１２を有する。
【００１２】
フレーム１１は、フロントプレート１３、二つの連結板１４および二つ拡張板１５を有する。二つの連結板１４はフロントプレート１３と一体になり、フロントプレート１３の相対する両側から後に伸びて形成される。一つの拡張板１５は一つの連結板１４と一体になり、連結板１４から下に伸びて形成される。一つの拡張板１５は一つの連結板１４と一体になり、連結板１４から上に伸びて形成される。フロントプレート１３、二つの連結板１４および二つの拡張板１５は格納空間１６を構成する。フレーム１１の材質は透明プラスチックである。第１実施形態において、フレーム１１の厚さは２ｍｍである。フレーム１１の材質はアクリルであるが、これに限らずＰＥＴ、ＰＥ、ＰＶＣ、ＰＳまたはＰＣであってもよい。
【００１３】
第１実施形態において、それぞれの連結板１４はフロントプレート１３の後から斜めに伸びてフロントプレート１３との間に鋭角θをなす。それぞれの連結板１４は二つの側辺縁部１４１を有する。二つの側辺縁部１４１は相対的に斜めに伸びてフロントプレート１３および拡張板１５を連結する。側辺縁部１４１の間の距離は後端部に向かって漸次縮小する。鋭角θは４５度である。
【００１４】
第１実施形態において、それぞれの拡張板１５は二つの照準用印１５１および複数の取付孔１５２を有する。二つの照準用印１５１は拡張板１５の後側面に間隔を置いて配置される。複数の取付孔１５２は格納空間１６に繋がる。それぞれの拡張板１５はフロントプレート１３と指が入れる間隔Ｄを保つ。
【００１５】
それぞれの粘着部材１２は、拡張板１５に配置され、かつ照準用印１５１に合わせる。第１実施形態において、それぞれの粘着部材１２は第一粘着部１２１および第二粘着部１２２を有する。第一粘着部１２１は拡張板１５に固着する。第二粘着部材１２２は第一粘着部１２１に着脱可能に取り付き、かつ壁面２００に固着することができる。比較的好ましい場合、粘着部材１２は３Ｍ会社の製品名デュアルロックファスナー（Dual Lock）であってもよい。
【００１６】
押さえ板２０は、フレーム１１の格納空間１６に着脱可能に配置され、ポスター１００の後方に位置する。
【００１７】
図４、図５および図６に示すように、第一押さえ部材３０は複数の第一固定部３１および複数の第一押さえ部３２を有する。複数の第一固定部３１は拡張板１５に配置される。複数の第一押さえ部３２はフロントプレート１３および押さえ板２０に向かって前後に調整できるように第一固定部３１に配置される。
【００１８】
第１実施形態において、それぞれの第一固定部３１は第一ボルト３１１および第一固定ナット３１２を有する。第一ボルト３１１は拡張板１５に配置され、第一固定ナット３１２によって拡張板１５に締め付けられる。それぞれの第一押さえ部３２は第一可動ナット３２１および吸盤３２２を有する。第一可動ナット３２１は第一固定部３１の第一ボルト３１１と噛み合う。吸盤３２２は押さえ板２０を吸着するために第一可動ナット３２１に配置される。比較的好ましい場合、第一可動ナット３２１は六角ナットである。一方、可動ナット３２１および吸盤３２２、即ち二つの異なる部品は埋め込み・射出方式、嵌め込み方式締付方式によって連結および固定されるか、単一部品として一体成型されてもよい。つまり、ナット機能および吸盤機能を兼ね備える単一部品を使用すればよい。このような単一部品はナット機能の部分が可動ナット３２１となり、吸盤機能の部分が吸盤３２２となる。また第一ボルト３１１は締付方式、嵌め込み方式、粘着方式などによって拡張板１５に固定されてもよい。それに対して第一固定ナット３１２は省略されても、固定用補助部品になってもよい。
【００１９】
図５および図６に示すように、本発明の第１実施形態によるポスター展示パネルでポスター１００を展示する際、まずフレーム１１の格納空間１６にポスター１００および押さえ板２０を入れ、続いて指で第一押さえ部３２を回して前進させる。このとき第一押さえ部３２は第一固定部３１の第一ボルト３１１に向かって前進して吸盤３２２を押さえ板２０に当接および吸着させるため、ポスター１００は押さえ板２０によって押さえられ、押さえ板２０とフロントプレート１３との間に挟まることができる。ポスター１００を取り換える際、図４に示すように、第一押さえ部３２を後退させて吸盤３２２と押さえ板２０を分離させれば、フレームの格納空間１６からポスター１００および押さえ板２０を簡単に取り外し、ポスター１００を取り換えることができる。
【００２０】
続いて、粘着部材１２の第一粘着部１２１および第二粘着部１２２によってフレーム１１およびポスター１００を壁面２００に粘着して固定すれば、ポスター１００を展示できる。そのほかに、拡張板１５の取付孔１５２によってフレーム１１を壁面２００のフック（図中未表示）にかけてぶら下げる方式、または紐（図中未表示）で拡張板１５の取付孔１５２を通してフレーム１１を壁面２００に吊るす方式を採用してもよい。
【００２１】
上述した説明をまとめてみると、本発明の長所は下記のとおりである。
【００２２】
一、従来技術と比べて、本考案は第一押さえ部材３０の第一押さえ部３２によってポスター１００に押さえ板２０を押し付けるため、押さえ板２０とフロントプレート１３との間にポスター１００を挟んで固定することができるだけでなく、状況に応じてポスター１００を任意に取り換えることができる。
【００２３】
二、本考案は第一押さえ部材３０の第一押さえ部３２の吸盤３２２で押さえ板２０を吸着するため、フレーム１１内の押さえ板２０およびポスター１００が勝手に動くことを効果的に防止することができる。
【００２４】
三、本考案において、フレーム１１の連結板１４とフロントプレート１３は鋭角θをなす。連結板１４の側辺縁部１４１はフロントプレート１３と拡張板１５との間に斜めに連結される。連結板１４の側辺縁部１４１の間の距離は後端部に向かって漸次縮小する。従って、本考案はポスター１００を展示する際に連結板１４および拡張板１５が参観者に見られることを避け、ポスター１００の展示効果を増進することができる。
【００２５】
四、従来技術と比べて、本考案のフレーム１１は一体成型され、厚さおよび重さが比較的小さいため、壁面２００に固定されやすいだけでなく、様々な固定方式を選択することができる。
【００２６】
第１実施形態は上述に限らず、押さえ板２０を使用せず、直接第一押さえ部材３０の第一押さえ部３２によってポスター１００をフロントプレート１３に押し付ける方式を採用してもよい。
【００２７】
（第２実施形態）
図７および図８は本考案の第２実施形態を示す模式図である。第１実施形態との違いは下記のとおりである。
【００２８】
第２実施形態において、フレーム１１の格納空間１６に着脱可能に装着される導光部材４０は押さえ板の代わりになる。第二実施形態はさらに第二押さえ部材５０を備える。言い換えれば、本考案において、押さえ板は第１実施形態により掲示された単一板に限らず、第２実施形態により掲示された特定機能付き部材、即ち導光部材４０を採用してもよい。
【００２９】
導光部材４０は導光板４１、二つの取付板４２および二つの帯状結合部４３を有する。それぞれの取付板４２は導光板４１の背面に配置され、かつ導光板４１の相対する両側辺に近い。それぞれの帯状結合部４３は取付板４２と導光板４１を挟むものである。それぞれの取付板４２は複数の取付板４２を貫通するロック溝４２１を有する。
【００３０】
図９に示すように、第一押さえ部材３０の第一押さえ部３２は取付板４２に向かって対応する。
【００３１】
図７、図１０および図１１に示すように、第二押さえ部材５０は複数の第二固定部５１および複数の第二押さえ部５２を有する。それぞれの第二固定部５１は拡張板１５に配置される。それぞれの第二押さえ部５２は前後に調整できるように第二固定部５１に配置され、かつ取付板４２に向かって対応する。
【００３２】
それぞれの第二固定部５１は第二ボルト５１１および第二固定ナット５１２を有する。第二ボルト５１１は拡張板１５に配置され、第二固定ナット５１２によって拡張板１５に締め付けられる。それぞれの第二押さえ部５２は第二固定部５１の第二ボルト５１１と噛み合い、かつ取付板４２のロック溝４２１に向かって対応する。第２実施形態において第二押さえ部材５２は六角ナットである。
【００３３】
図９、図１０および図１１に示すように、上述した構造特徴により、指で第一押さえ部３２および第二押さえ部５２を回して前進させる際、第一押さえ部３２は前進して吸盤３２２を取付板４２に当接および吸着させる。第二押さえ部５２は前進して前端部を取付板４２のロック溝４２１に入り込ませて導光板４１に当接させるため、ポスター１００は導光板４１によって押さえられ、導光板４１とフロントプレート１３との間に挟まることができる。つまり、ポスター１００を横向きにして展示する際、第一押さえ部３２および第二押さえ部５２でポスター１００に導光板４１を押し付ける方式を採用できる。そのほかに、ポスター１００を縦向きにして展示する際、第二押さえ部５２と取付板４２のロック溝４２１を嵌め合わせて導光部材４０にロック作用を生じることによって導光部材４０およびポスター１００がフレーム１１から下へ滑ることを抑制する方式を採用できる。一方、第２実施形態は導光板４１によってＬＥＤライトなどの光源（図中未表示）の光線をポスター１００に映して展示効果を向上させることができる。
【００３４】
上述したとおり、第２実施形態の目的および達成した効果は第1実施形態と同じである。
【００３５】
（第３実施形態）
図１２および図１３は本考案の第３実施形態を示す模式図である。第１実施形態との違いは下記のとおりである。
【００３６】
第３実施形態において、フレーム１１のすべての拡張板１５は二つの取付孔１５３および二つの取付孔１５４を有する。取付孔１５３は格納空間１６に繋がり、横断面が矩形である。取付孔１５４は格納空間１６に繋がり、横断面が三角形である。
【００３７】
第３実施形態において、フレーム部材１０はさらに粘着部材１７を有する。粘着部材１７は四つの第一粘着部１７１および一つの第二粘着部１７２を有する。それぞれの第一粘着部１７１は拡張板１５に配置される。第二粘着部１７２は四つの第一粘着部１７１に同時に取り付く。第３実施形態において、粘着部材１７は面ファスナーからなる。それぞれの第一粘着部１７１は内側面がループ面であり、外側面がフック面である。それぞれの第一粘着部１７１は拡張板１５上の隣り合う取付孔１５３、１５４を貫通し、ループ面とフック面が相互に取り付くことによって拡張板１５に固定される。第二粘着部１７２は壁面２００に固着でき、外側面がループ面である。第一粘着部１７１は第二粘着部１７２に着脱可能に取り付くため、フレーム１１を壁面２００に固定することができる。第二粘着部１７２は数が一つに限らず、二つまたは四つであってもよい。第二粘着部１７２が二つである場合、四つの第一粘着部１７１は二つずつ第二粘着部１７２に取り付く。第二粘着部１７２が四つである場合、四つの第一粘着部１７１は一つずつ第二粘着部１７２に取り付く。
【００３８】
上述したとおり、第３実施形態の目的および達成した効果は第1実施形態と同じである。
【００３９】
（第４実施形態）
図１４および図１５は本考案の第４実施形態を示す模式図である。第１実施形態との違いは下記のとおりである。
【００４０】
第４実施形態において、フレーム部材１０のフレーム１１のそれぞれの拡張板１５は二つの隅角部１５５を有する。それぞれの隅角部１５５は二つの指回避用溝１５６を有する。二つの指回避用溝１５６は隅角部１５５の外周面に斜めに相対するように形成される。
【００４１】
第４実施形態において、押さえ板２０は二つの取出用穿孔２１を有する。二つの取出用穿孔２１は押さえ板２０の左右両側に間隔を置いて形成される。
【００４２】
第４実施形態において、第一押さえ部材３０の第一固定部３１は拡張板１５の隅角部１５５に配置され、かつ拡張板１５の二つの指回避用溝１５６の間に位置する。
【００４３】
指で第一押さえ部３２を回して前進または後退させる際、親指および人差指を一つの隅角部１５５の指回避用溝１５６に入れれば、指回避用溝１５６によって隅角部１５５が指の動きを邪魔することを減少させ、親指および人差指で第一押さえ部３２を簡単に回すことができる。
【００４４】
ポスター１００を取り換える際、第一押さえ部３２を回して後退させ、吸盤３２２と押さえ板２０とを分離させる。続いて押さえ板２０の取出用穿孔２１に指を入れて押さえ板２０に対してポスター１００を横に動かせばポスター１００を取り換えることができる。
【００４５】
ポスター１００を取り換える際、上述した方式に限らず下記の方式も採用できる。図１６に示すように、第一押さえ部３２を回して後退させ、吸盤３２２と押さえ板２０とを分離させて吸盤３２２と押さえ板２０の間に間隔を置く。続いて図１７に示すように、拡張板１５を下に押して吸盤３２２を押さえ板２０に吸着させる。続いて図１８に示すように、拡張板１５を解放して元の位置に復元させれば、拡張板１５は吸盤３２２によって押さえ板２０を持ち上げて押さえ板２０とポスター１００との間に間隔をあけることができる。このとき押さえ板２０の取出用穿孔２１（図１５参照）に指を入れてポスター１００を横に動かすことができる。
【００４６】
上述したとおり、第４実施形態の目的および達成した効果は第1実施形態と同じである。
【００４７】
上述をまとめてみると、本考案によるポスター展示パネルはポスターをしっかり挟んで固定することができるだけでなく、ポスターを任意に取り換えることができる、即ち本考案の目的を確実に達成することができる。
【００４８】
以上、本考案は、上記実施形態になんら限定されるものではなく、考案の趣旨を逸脱しない範囲において種々の形態で実施可能である。
【符号の説明】
【００４９】
１０：フレーム部材、  
１１：フレーム、  
１２：粘着部材、  
１２１：第一粘着部、  
１２２：第二粘着部、  
１３：フロントプレート、  
１４：連結板、  
１４１：側辺縁部、  
１５：拡張板、  
１５１：調整用印、  
１５２、１５３、１５４：取付孔、  
１５５：隅角部、  
１５６：指回避用溝、  
１６：格納空間、  
１７：粘着部材、  
１７１：第一粘着部、  
１７２：第二粘着部、  
２０：押さえ板、  
２１：取出用穿孔、  
３０：第一押さえ部材、  
３１：第一固定部、  
３１１：第一ボルト、  
３１２：第一固定ナット、  
３２：第一押さえ部、  
３２１：可動ナット、  
３２２：吸盤、  
４０：導光部材、  
４１：導光板、  
４２：取付板、  
４２１：ロック溝、  
４３：帯状結合部、  
５０：第二押さえ部材、  
５１：第二固定部、  
５１１：第二ボルト、  
５１２：第二固定アット、  
５２：第二押さえ部、  
１００：ポスター、  
２００：壁面、  
θ：鋭角、  
Ｄ：間隔、  
１：前側板、  
２：後側板  
３：締付部材、  
４：ポスター    
【図１】
0003219478.tif 000003
【図２】
0003219478.tif 000004
【図３】
0003219478.tif 000005
【図４】
0003219478.tif 000006
【図５】
0003219478.tif 000007
【図６】
0003219478.tif 000008
【図７】
0003219478.tif 000009
【図８】
0003219478.tif 000010
【図９】
0003219478.tif 000011
【図１０】
0003219478.tif 000012
【図１１】
0003219478.tif 000013
【図１２】
0003219478.tif 000014
【図１３】
0003219478.tif 000015
【図１４】
0003219478.tif 000016
【図１５】
0003219478.tif 000017
【図１６】
0003219478.tif 000018
【図１７】
0003219478.tif 000019
【図１８】
0003219478.tif 000020